(57)【要約】【課題】良好に髪の毛等を下流側に集めることができる手入れが容易なヘアキャッチャーを提供する。【解決手段】上流側から下流側に向かって下傾状をなし、上流側の最も高い外周側４２から中央の軸部４１に向かって略水平状に隆起した隆起部４４が形成されており、この隆起部４４により排水時の髪の毛の回転が遮られて、髪の毛が上流側から下流側へ滑り落ちて流れ、髪の毛が軸部４１に絡み付くことを防いで髪の毛等を下流側に集めることができる。【選択図】図３
2010133207.tif 000002
【特許請求の範囲】
【請求項１】
上流側から下流側に向かって下傾状をなし、上流側の最も高い外周側から中央の軸部に向かって略水平状に隆起部が形成されていることを特徴とするヘアキャッチャー。
【請求項２】
上流側から下流側に向かって下傾状をなし、上流側の高い位置から更に立ち上げて外周側から中央の軸部に向かう仕切部が形成されていることを特徴とするヘアキャッチャー。
【請求項３】
外周側の全域に亘って、外側へ向けて斜め上方へ立ち上がる外周立上部が形成されていることを特徴とする請求項１または請求項２に記載のヘアキャッチャー。
【請求項４】
前記上流側から下流側に向かって下傾状をなす面上には、前記軸部より上流側に上流側孔を、前記軸部より下流側に下流側孔を、それぞれ設けるとともに、上流側孔は下流側孔よりも小径に設定されていることを特徴とする請求項１乃至請求項３何れかに記載のヘアキャッチャー。
【請求項５】
前記上流側孔と前記下流側孔の間に孔無し部を設けたことを特徴とする請求項４に記載のヘアキャッチャー。
【発明の詳細な説明】
【技術分野】
【０００１】
本発明は、手入れが容易なヘアキャッチャーに関するものである。
【背景技術】
【０００２】
従来、特許文献１に開示されているようなヘアキャッチャーが存在し、このヘアキャッチャーは、簾部の上面に整流板を突設して構成したものである。
このヘアキャッチャーでは、髪の毛が中央の栓軸に絡み付かないので、簾部に絡んだ髪の毛は指で摘んで上に引き上げるだけで容易に抜き取り除去することができるものとしている。
【特許文献１】特開２００２−１２１７９７号公報
【発明の開示】
【発明が解決しようとする課題】
【０００３】
しかし、上記特許文献１に開示されているヘアキャッチャーの構造では、整流板が三角形状であるため、髪の毛を含んだ排水が流れる時に、整流板の外周側では髪の毛が外周に沿って回転しやすく、そのため、髪の毛の回転を確実に止めることができずに、髪の毛が栓軸に絡み付く場合があるという問題点があった。
【課題を解決するための手段】
【０００４】
本発明は、髪の毛の中央部への絡み付きをなくし、良好に髪の毛をまとめて除去できる手入れが容易なヘアキャッチャーの提供を目的とし、この目的の少なくとも一部を達成するために以下の手段を採った。
本発明のヘアキャッチャーは、上流側から下流側に向かって下傾状をなし、上流側の最も高い外周側から中央の軸部に向かって略水平状に隆起部が形成されていることを要旨とする。
【発明の効果】
【０００５】
本発明のヘアキャッチャーでは、上流側の最も高い外周側から中央の軸部に向かって略水平状に隆起部が形成されているため、髪の毛を含んだ排水が上流側から下流側に流れる時に、髪の毛が回転することを隆起部で良好に防ぐことができ、髪の毛は上流から下流に向かって回らずに流れ、ヘアキャッチャーの下流側に髪の毛をまとめることができ、まとめられた髪の毛を容易に除去してヘアキャッチャーの手入れができる。
【０００６】
また、本発明のヘアキャッチャーは、上流側から下流側に向かって下傾状をなし、上流側の高い位置から更に立ち上げて外周側から中央の軸部に向かう仕切部が形成されていることを要旨とする。
こうすれば、外周側から中央の軸部に向かって仕切部が立ち上げ形成されているため、この仕切部により髪の毛の回転を確実に防いで、髪の毛を良好に下流側へ流し、下流側で髪の毛をまとめて捕捉することができるものとなる。また、ヘアキャッチャーの手入れ時には、仕切部を指で摘んで持ち上げることができ、手入れがしやすいものとなる。
【０００７】
また、本発明のヘアキャッチャーにおいて、外周側の全域に亘って、外側へ向けて斜め上方へ立ち上がる外周立上部が形成されている構成とすることもできる。
こうすれば、外周立上部により髪の毛やゴミが逃げることがなく、外周立上部と傾斜底面との折り目部分に髪の毛やゴミを集めてまとめることができる。
また、外周立上部には傾斜があるため、まとめられた髪の毛やゴミを取り出しやすいものとなる。
【０００８】
また、本発明のヘアキャッチャーにおいて、前記上流側から下流側に向かって下傾状をなす面上には、前記軸部より上流側に上流側孔を、前記軸部より下流側に下流側孔を、それぞれ設けるとともに、上流側孔は下流側孔よりも小径に設定されている構成とすることもできる。
こうすれば、下流側孔を大きくしたことによって排水の流れが良くなり、排水の流れに沿って下流側孔の近傍に髪の毛やゴミが溜まりやすくなる。一方、下流側孔上に髪の毛やゴミが溜まって排水の流れが悪くなっても、上流側孔から排水が行われるので良好な排水が維持できる。また、上流側孔は下流側孔よりも小径でかつ上流にあるため髪の毛やゴミが溜まりにくく、排水性能の維持には効果的である。
【０００９】
また、本発明のヘアキャッチャーにおいて、前記上流側孔と前記下流側孔の間に孔無し部を設けた構成とすることもできる。
こうすれば、排水用の孔内の清掃は困難であるが、孔無し部を設けて孔の数を制限することで清掃性が向上する。また、孔無し部を設ける位置については、下流側の孔はゴミを含む排水の処理を行うため、なるべく下方に、上流側の孔は、下流側の孔にゴミが溜まり孔を閉塞しても排水を行えるようにするため、なるべく上方にあることが望ましいので、上方でも下方でもない部分、即ち上方と下方の間に設けると好適である。
【発明を実施するための最良の形態】
【００１０】
次に、本発明を実施するための最良の形態を実施例を用いて説明する。
図１は、洗面器の斜視構成図であり、洗面器１のボウル部１ａの底には上下に貫通して排水孔１ｂが形成されている。この排水孔１ｂには、ポップアップ弁２が上下方向に開閉可能に取り付けられる。
ポップアップ弁２の下面中央部から軸３が垂設され、この軸３には、ヘアキャッチャー４とオーバーフローキャッチャー５が設けられている。
【００１１】
図２の拡大断面構成図で示すように、ヘアキャッチャー４とオーバーフローキャッチャー５は、排水孔１ｂの下部に設けられた排水器具６内に収納される。
排水器具６は、本体筒部６ａの下部に縮径部６ｂが一体形成され、本体筒部６ａの上端には、外方向へ突出して止水鍔部６ｃが一体形成されており、この止水鍔部６ｃがビス７によりボウル部１ａの下面に取り付け固定される。
【００１２】
この排水器具６には、オーバーフローホース接続部６ｄが一体形成されており、このオーバーフローホース接続部６ｄに袋ナット８を介してオーバーフローホース９が接続され、ボウル部１ａのオーバーフロー水が、このオーバーフローホース９を通り流入されるものである。また、縮径部６ｂの下端には袋ナット１０を介してトラップ管１１が接続されている。
【００１３】
このトラップ管１１の上端付近には、外側からレリース１２が挿通されて前記軸３の下端に連結されており、レリース１２の他端は、取付固定部１３に設けられた操作ボタン１４に連繋されており、この操作ボタン１４を操作することで、レリース１２を介して軸３を上下方向に移動させてポップアップ弁２を開閉できるように構成されている。
【００１４】
ポップアップ弁２の下方に設けられたヘアキャッチャー４の第１実施例を図３〜図６に示す。
図３は、ヘアキャッチャーの斜視構成図であり、図４は、前面側から視たヘアキャッチャーの構成図であり、図５は、図３のＡ方向から視た矢視側面図である。また図６は、図５の平面構成図である。
【００１５】
ヘアキャッチャー４は、中央部に上下方向に円筒状の軸部４１が設けられ、この軸部４１内は軸３を通すことのできる軸孔４１ａとなっている。ヘアキャッチャー４の外周側には、全域に亘って、外側へ向けて斜め上方へ立ち上がる外周立上部４２が形成されており、ヘアキャッチャー４の底面は、図５に示すように、上流側から下流側に向かって緩やかに湾曲して下傾状をなす傾斜底面４３となっている。
この傾斜底面４３の上流側の最も高い外周側から中央の軸部４１に向かって略水平状に隆起した隆起部４４が形成されており、この隆起部４４の両側は傾斜面４５，４５となって、この各傾斜面４５，４５にそれぞれ複数の上流側孔４６，４６が上下に貫通形成されている。
【００１６】
また、軸部４１より下流側には、上下に貫通して複数の下流側孔４７，４７が貫通形成されている。また、この複数の下流側孔４７と前記上流側孔４６間には、孔の存在しない孔無し部４８，４８が外周側から中央の軸部４１に向かって形成されている。
なお、本例では、上流側孔４６および下流側孔４７は丸孔で形成されているが、上流側孔４６は下流側孔４７よりも小径に形成されている。
【００１７】
このようなヘアキャッチャー４においては、洗面器のボウル部１ａ内の水を排水孔１ｂから排水する際に、排水中に含まれている髪の毛は回転しながら下流側へ流れるが、本例のヘアキャッチャー４では隆起部４４が上流側に立ち上げて形成されているため、髪の毛はこの隆起部４４に遮られて回転することができず、髪の毛は傾斜底面４３に沿って上流側から下流側に流れ落ちることとなり、外周立上部４２により髪の毛やゴミが逃げることがなく、髪の毛やゴミを良好に下流側の外周立上部４２と傾斜底面４３との折り目部分に集めてまとめることができる。
【００１８】
なお、上流側孔４６は小径であるため髪の毛が抜け落ちることが少なく、髪の毛は良好に下流側に滑り落ちることができ、良好に下流側に集められる。
なお、髪の毛は回転が止められるため、軸部４１の回りに髪の毛が絡み付くことが良好に防がれこととなる。
【００１９】
なお、下流側に集められた髪の毛やゴミにより下流側孔４７が詰まった場合でも、上流側孔４６は詰まることがないため、この上流側孔４６を通し良好に排水することができ、排水能力は持続される。
このように髪の毛やゴミを下流側に集めることができるため、ヘアキャッチャー４を排水孔１ｂから上方へ引き上げて、下流側に集まった髪の毛を指で摘んで除去することができ、掃除が容易なものとなる。なお、外周立上部４２には傾斜があるため、まとめられた髪の毛やゴミを取り出しやすいものとなる。また、排水用の孔内の清掃は困難であるが、孔無し部４８を設けて孔４６，４７の数を少なくしたため、清掃性が向上し、ヘアキャッチャー４の手入れがしやすいものとなる。
【００２０】
次に、図７〜図１０はヘアキャッチャーの第２実施例を示す。
第２実施例のヘアキャッチャー４は、中央部に上下方向に延びて軸孔４１ａを有する軸部４１が形成されており、外周側には、外側へ向かって上向きに傾斜した外周立上部４２が形成されている。中央の軸部４１の回りは、上方へ盛り上げられて盛り上がり部４９が形成されており、この盛り上がり部４９と外周立上部４２との間には凹み状に谷部５０が形成されている。この盛り上がり部４９，谷部５０，外周立上部４２には、複数の孔５２が上下に貫通形成されている。
【００２１】
本例のヘアキャッチャー４においても、底面は上流側から下流側へ向かって下傾した傾斜底面４３となっており、この傾斜底面４３の最も高い上流側から更に上方へ板状に立ち上げて、外周立上部４２から軸部４１に向かって延びる仕切部５１が形成されており、この仕切部５１の上面中央部には、凹み状に凹部５１ａが形成されている。
【００２２】
このような第２実施例のヘアキャッチャー４においても、上流側から下流側へ向かって流れる排水中の髪の毛は回転しながら流れるが、仕切部５１が立ち上げて形成されているため、この仕切部５１に遮られて髪の毛の回転が止まり、髪の毛は傾斜底面４３の傾斜に沿って上流側から下流側に流れ落ちてゆき、低い下流側の谷部５０に良好に髪の毛やゴミがまとめられる。なお、髪の毛は回転が止められるため、軸部４１の回りに髪の毛が絡み付くことが良好に防がれこととなる。
【００２３】
ヘアキャッチャー４を排水孔１ｂから上方へ取り出す際には、仕切部５１の凹部５１ａ付近を指で摘んで良好に引き上げることができ、まとめられた髪の毛やゴミを容易に除去することができて、ヘアキャッチャー４の手入れが容易なものとなる。
なお、本例においても、髪の毛やゴミが下流側に堆積した状態でも、上流側に形成されている孔５２を通り良好に排水できるため、排水能力は良好に維持される。
なお、本例において、軸部４１より上流側の孔５２を、軸部４１より下流側の孔５２よりも小径に設定しても良い。また、上流側の孔５２と下流側の孔５２の間に孔無し部を設けた構成としても良い。
【図面の簡単な説明】
【００２４】
【図１】洗面器の斜視構成図である。
【図２】洗面器の排水孔の底側に取り付けられた排水器具の断面拡大構成図である。
【図３】第１実施例のヘアキャッチャーの斜視構成図である。
【図４】図３の前面側から視た正面構成図である。
【図５】図３のＡ方向から視たＡ矢視側面図である。
【図６】図５の平面構成図である。
【図７】第２実施例のヘアキャッチャーの斜視構成図である。
【図８】図７の前面側から視た正面構成図である。
【図９】図７のＡ方向から視たＡ矢視側面図である。
【図１０】図９の平面構成図である。
【符号の説明】
【００２５】
１  洗面器
１ａ  ボウル部
１ｂ  排水孔
２  ポップアップ弁
３  軸
４  ヘアキャッチャー
５  オーバーフローキャッチャー
６  排水器具
４１  軸部
４１ａ  軸孔
４２  外周立上部
４３  傾斜底面
４４  隆起部
４５  傾斜面
４６  上流側孔
４７  下流側孔
４８  孔無し部
４９  盛り上がり部
５０  谷部
５１  仕切部
５１ａ  凹部
【図１】
2010133207.tif 000003
【図２】
2010133207.tif 000004
【図３】
2010133207.tif 000005
【図４】
2010133207.tif 000006
【図５】
2010133207.tif 000007
【図６】
2010133207.tif 000008
【図７】
2010133207.tif 000009
【図８】
2010133207.tif 000010
【図９】
2010133207.tif 000011
【図１０】
2010133207.tif 000012